(57)【要約】      （修正有）【課題】畳の上層（畳表）側に使用してポリオレフィン系樹脂発泡体自体の特性を直接有効に生かすことができ、表側の柔軟層の厚みを薄くしても下層に撓みの少ない硬質層を重ねることによりポリオレフィン系樹脂発泡体からなる柔軟層の撓みを抑制できる水洗及び水に浸漬可能な畳を提供する。【解決手段】畳床の上層にポリオレフィン系樹脂発泡体からなる柔軟層１を、下層に上層より硬い硬質層２を設ける。【選択図】図１
0003146772.tif 000002
【実用新案登録請求の範囲】
【請求項１】
上層にポリオレフィン系樹脂発泡体からなる柔軟層を、下層に上層より硬い硬質層を設けた水洗い及び水に浸漬可能な畳。
【請求項２】
前記硬質層は、畳床の四辺を囲繞する木製枠内方に発泡樹脂を中心に挟んで石材を埋設した請求項１記載の水洗い及び水に浸漬可能な畳。
【請求項３】
上層にポリオレフィン系樹脂発泡体からなる柔軟層を、下層に上層より硬い硬質層を設け、前記柔軟層と硬質層との間にゴムシートを介在させた請求項１記載の水洗い及び水に浸漬可能な畳
【請求項４】
前記硬質層は、プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを積層するようにした請求項１記載の水洗い及び水に浸漬可能な畳。
【請求項５】
前記石材が大理石である請求項１乃至３記載の水洗い及び水に浸漬可能な畳
【考案の詳細な説明】
【考案の詳細な説明】
【技術分野】
【０００１】  本考案は上面がクッション性を有し、下層を硬質層とした水洗い可能で，かつ水に浸漬可能な畳に関するものである。
【背景技術】
【０００２】  例えば、特許第３４２９７１３号公報の請求項１には、内在する気泡のアスペクト比Ｄｚ（シート厚み方向に平行な最大径）／Ｄｘｙ（シート幅または長さ方向に平行な最大径）の平均値が１．１〜２．０で、発泡倍率が７〜３０倍で、圧縮強度が２ｋｇｆ／ｃｍ２以上であるポリオレフィン系樹脂発泡体シートからなることを特徴とする畳床材が記載されている。【０００３】  また、気泡のＤｘｙ（シート幅または長さ方向に平行な最大径）の平均値が５００μｍ以上である請求項１の畳床材が記載されている。【０００４】  さらに、曲げ弾性率が１５０〜４００ｋｇｆ／ｃｍ２で、厚さが２５〜５５ｍｍである請求項１または２の畳床材が記載されている。【０００５】  そして、これら発明による畳床材は、特定の圧縮強度および特定の発泡倍率を有するものであるので、厚畳用、薄畳用の畳床材とともに、畳上に重量物を一定時間置いた後の変形が元に回復し易く、特定の圧縮弾性率を有するので、畳の上に座る時や歩行時に与える振動エネルギーを吸収することができ、体感の感触において痛さが軽減される。また、セル壁が厚いため、荷重に対する座掘強度が大きく、気泡の耐クリープ特性が高い旨、このため、重量物に対する凹みを軽減することができる旨、適切な曲げ弾性率を有するもので、畳表の張力により畳の反りが発生することを抑制でき、また、撓みすぎないので、運搬および施工性が良好なものである旨記載されている。【０００６】  このようなポリオレフィン系樹脂発泡体は上記のような特性を有するため、畳の上層（畳表）側に使用してその特性を畳表面に直接有効に生かすことが望まれる。しかしながら、畳の構造によりポリオレフィン系樹脂発泡体を積層して使用する場合、その厚みを薄くすると撓み易くなるため、ポリオレフィン系樹脂発泡体の下層に撓みの少ない硬質層を重ねることが望まれる。【０００７】  また、特開２００４−８４１９８号公報［請求項６］（実施例２）には、発泡ポリオレフィン系樹脂ボードＢの表面を合成繊維ラッシュからなる畳表にて被覆縫着して畳本体Ｔを構成する高耐水畳が記載されている。【０００８】  そして、中心層１の素材としては、発泡スチレン、発泡ポリオレフィン系樹脂、人の反復的歩行に耐える耐荷重性と耐水性・化学的安定性さえ満たすなら従来周知の発泡合成樹脂製のボードを採択することが可能である旨記載されている。【０００９】  しかしながら、この実施例２［図３］［図４］で使用される発泡ポリオレフィン系樹脂は、厚みが略畳床全体であり、この発泡ポリオレフィン系樹脂ボードが薄い場合はこの撓みを補強する積層材料がないため、この発泡ポリオレフィン系樹脂ボードの撓みを抑制することができない。【００１０】  さらに、特開２００４−８４１９８号公報には、表裏両面をアルミニウム板で挟持した低発泡プラスティックシートの前面を布状の被覆材で被覆し、該被覆されたシートの表面に厚み０．５以上５ｍｍ以下の編織された敷物を装着してなる薄畳であり、低発泡プラスティックシートの材質がポリオレフィン樹脂、ポリスチレン樹脂もしくはＡＢＳ樹脂であり、発泡倍率１．２〜３倍である薄畳が記載されている。【００１１】  そして、公知品より著しく軽量でかつ耐荷重性と耐久��の優れた薄畳が得られる旨記載されている。【００１２】  しかしながら、この低発泡プラスティックシートであるポリオレフィン樹脂は表裏両面をアルミニウム板で挟持しているので、ポリオレフィン樹脂が薄くても撓みを抑制することができるが、畳表２の表面側に柔軟なポリオレフィン樹脂を設けず硬いアルミ板が介在するので、前記柔軟なポリオレフィン樹脂自体の上記特性を畳表面に直接生かすことができない。
【考案が解決しようとする課題】
【００１３】  本考案は、畳の上層（畳表）側に使用してポリオレフィン系樹脂発泡体自体の上記特性を畳表面に直接有効に生かすことができ、畳の構造上ポリオレフィン系樹脂発泡体を積層して使用する場合、その厚みを薄く（２５ｍｍ以下）してもポリオレフィン系樹脂発泡体下層に撓みの少ない硬質層を重ねることによりポリオレフィン系発泡体の撓みを抑制するようにした。
【課題を解決する手段】
【００１４】  請求項１の考案は、上層にポリオレフィン系樹脂発泡体である柔軟層を、下層に上層より硬い硬質層を設けた水洗い及び水に浸漬可能な畳を提供するものである。
【００１５】  この考案においては、畳の上層（畳表）側に柔軟層（ポリオレフィン系樹脂発泡体自体の特性）を直接有効に生かすことができ、その厚みを薄くしても下層に撓みの少ない硬質層を重ねることによりポリオレフィン系発泡体の撓みを抑制する水洗い及び水に浸漬可能な畳を提供することが出来る。
【００１６】  また、請求項２の考案は、前記硬質層は、畳床の四辺を囲繞する木製枠内方に発泡樹脂を中心に挟んで石材を埋設した請求項１記載の水洗い及び水に浸漬可能な畳を提供するものである。
【００１７】  この考案においては、前記硬質層が、畳床の四辺を囲繞する木製枠内方に発泡樹脂を中心に挟んで石材を埋設し構造を有し、畳の上層（畳表）側に柔軟層（ポリオレフィン系樹脂発泡体自体の特性）を直接有効に生かすことができ、その厚みを薄くしても下層に撓みの少ない硬質層を重ねることによりポリオレフィン系発泡体の撓みを抑制すると共に、上記石材の重量により浴槽に浮き上がることなくその底に沈めて安定的に設置する水洗い及び水に浸漬可能な畳を提供することが出来る。
【００１８】  また、請求項３の考案は、上層にポリオレフィン系樹脂発泡体からなる柔軟層を、下層に上層より硬い硬質層を設け、前記柔軟層と硬質層との間にゴムシートを介在させた請求項１及び２記載水洗い及び水に浸漬可能な畳を提供するものである。
【００１９】  この考案においては、畳の上層側の柔軟層（ポリオレフィン系樹脂発泡体自体の特性）に石材からなる硬質層が直接面接触して緩衝し合わないように保護するようにした記載水洗い及び水に浸漬可能な畳を提供することが出来る。
【００２０】  また、請求項４の考案は、前記硬質層は、プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを積層するようにした請求項１記載水洗い及び水に浸漬可能な畳を提供するものである。
【００２１】  この考案においては、本出願人が所有する特許第３８７３２３９号及び特許第４０２２６６０号の改良に関するもので、プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを積層するようにした構造において、畳の上層（畳表）側に柔軟層（ポリオレフィン系樹脂発泡体自体の特性）を直接有効に生かすことができ、その厚みを薄くしても下層に撓みの少ない硬質層を重ねることによりポリオレフィン系発泡体の撓みを抑制する水洗い及び水に浸漬可能な畳を提供することが出来る。
【００２２】  さらに、請求項５の考案は、前記石材が大理石である請求項１及び３記載の水洗い及び水に浸漬可能な畳を提供するものである。
【００２３】  この考案においては、大理石は比重が重く他の石材よりも浴槽底に充分固定でき、またセメントによる固化材料と比べセメントの強アルカリ等の有害成分を溶出させることがなく浴室で安全な水洗い及び水に浸漬可能な畳を提供することが出来る。
【考案を実施するための最良の形態】
【００２４】  以下に本考案の一実施形態を図面に基づき説明する。図１は本考案の一実施例であり、畳Ａの上層にポリオレフィン系樹脂発泡体からなる柔軟層１を、下層に上層より硬い硬質層２を設けている。前記硬質層２は、畳床の四辺を囲繞する木製枠３内方に発泡樹脂４（発泡ポリスチレン）を中心に挟んで大理石５、５を埋設している。そして、この畳Ａは大理石の重量により浴槽の底に沈めて使用するものである。【００２５】  これら硬質層２の木製枠３、発泡樹脂４、大理石５、５はゴムシート６、６及びアルミ板７、７により上下から挟持されている。これにより、大理石５、５は、発泡樹脂４を中央に、木製枠３内にアルミ板８で挟持して固定されて大理石５、５のがたつきを防止する事ができる。尚、８は畳表、９は畳表と柔軟層１との間に介在させるビニールシート、１０は発泡ポリエチレン製の滑止めシートである。また、大理石５，５は比重が重く他の石材よりも浴槽底に充分固定でき、またセメントによる固化材料と比べセメントの強アルカリ等の有害成分を溶出させることがなく浴室で安全に使用することが出来る。【００２６】  この様にして、前記硬質層２が、畳床の四辺を囲繞する木製枠３内方に発泡樹脂４を中心に挟んで大理石５を埋設し構造を有し、畳Ａの上層（畳表）側に柔軟層１のポリオレフィン系樹脂発泡体自体の特性を畳表面に直接有効に生かすことができ、その厚みを薄く（例えば、約２．５ｍｍ以下）しても下層に撓みの少ない硬質層２を重ねることによりポリオレフィン系樹脂発泡体の撓みを抑制すると共に、上記石材の重量により浴槽に浮き上がることなくその底に静めて安定的に設置することが出来る。【００２７】  前記柔軟層１と硬質層２との間にゴムシート６，６を介在させ、畳Ａの上層側の柔軟層１（ポリオレフィン系樹脂発泡体）と大理石５，５からなる硬質層５とが直接面接触して緩衝し合わないように保護することが出来る。【００２８】  図２は本考案の第二の実施例であり、畳Ｂの上層にポリオレフィン系樹脂発泡体からなる柔軟層１１を、下層に大理石からなる硬質層１２を設けている。そして、この畳Ｂは大理石１２の重量により浴槽の底に沈めて使用するものである。尚、１３は大理石の上下に敷くゴムシート、１４は畳表、１５は畳表と柔軟層１１との間に介在させるビニールシート、１６は発泡ポリエチレン製の滑止めシートである。【００２９】  この様にして、畳Ｂの上層（畳表）側に柔軟層１１のポリオレフィン系樹脂発泡体自体の特性を畳表面に直接有効に生かすことができ、その厚みを薄く（例えば、約２．５ｍｍ以下）しても下層に撓みの少ない硬質層１２に重ねることによりポリオレフィン系樹脂発泡体の撓みを抑制すると共に、上記大理石の重量により浴槽に浮き上がることなく浴槽の底に沈めて安定的に設置することが出来る。【００３０】  ゴムシート１３、１３は、畳の上層側の柔軟層（ポリオレフィン系樹脂発泡体）と大理石からなる硬質層とが直接面接触して緩衝し合わないように保護すると共に、畳Ｂ底面に露出して浴槽の底を傷つけないようにしている。【００３１】  さらに、図３は本考案の第三の実施例であり、畳Ｃの上層にポリオレフィン系発泡体からなる柔軟層２１を、下層に上層より硬い硬質層２��を設けている。この硬質層２２は、プラスティック段ボールから成る中空状合成樹脂プレート２３を挟んで２枚の発泡ポリスチレン製芯材２５、２６を設け、表面側の発泡ポリスチレン製芯材２４の上面に他のプラスティック段ボールから成る中空状合成樹脂プレート２５を積層するようにしている。尚、２７は畳表、２８、２９は発泡ポリプロピレンシートである。【００３２】  この第三実施例は、本出願人が所有する特許第３８７３２３９号及び特許第４０２２６６０号の改良に関するもので、プラスティック段ボールから成る中空状合成樹脂プレート２３を挟んで２枚の発泡ポリスチレン製芯材２５，２６を設け、表面側の発泡ポリスチレン製芯材２５の上面に他のプラスティック段ボールから成る中空状合成樹脂プレート２４を積層するようにした硬質層２２の構造において、畳Ｃの上層（畳表）側に柔軟層２１（ポリオレフィン系樹脂発泡体自体の特性）を直接有効に生かすことができ、その厚みを薄く（例えば、約２．５ｍｍ以下）しても下層に撓みの少ない硬質層２２を重ねることによりポリオレフィン系樹脂発泡体の撓みを抑制することが出来る。
【考案の効果】
【００３３】  上記の如く本考案においては、畳の上層（畳表）側に柔軟層（ポリオレフィン系樹脂発泡体自体の特性）を直接有効に生かすことができ、その厚みを薄くしても下層に撓みの少ない硬質層を重ねることによりポリオレフィン系発泡体の撓みを抑制することができる。
【図面の簡単な説明】
【００３４】
【図１】  第一実施例の畳の断面図
【図２】  第二実施例の畳の断面図
【図３】  第三実施例の畳の断面図
【符号の説明】
１、１１、２１    柔軟層（ポリオレフィン系樹脂発泡体）
２、１２、２２    硬質層
５                大理石
２５、２６        発泡ポリスチレン製芯材
Ａ，Ｂ，Ｃ        畳
【図１】
0003146772.tif 000003
【図２】
0003146772.tif 000004
【図３】
0003146772.tif 000005
【手続補正書】
【提出日】平成20年8月26日(2008.8.26)
【手続補正１】
【補正対象書類名】実用新案登録請求の範囲
【補正対象項目名】請求項５
【補正方法】変更
【補正の内容】
【請求項５】
前記石材が大理石である請求項１〜３のいずれか一項に記載の水洗い及び水に浸漬可能な畳。